(57)【要約】【課題】内容物を取り出し易いフラップ付包装箱を提供する。【解決手段】フラップ付包装箱１は、筒状胴部２と、筒状胴部２の一方の開口端縁に設けられた開閉自在な複数のフラップ４，５と、を備える。少なくとも１つのフラップ４には、内側へ折曲可能な折曲片９が設けられ、折曲片９には、折曲片９を内側へ折り曲げた状態で、折曲片付フラップ４に隣接する他のフラップ５他のフラップ５の側縁を差込可能な差込孔１０が設けられている。フラップ４は、開閉自在な内フラップ４と、閉じられた内フラップ４の外側に重なるように折り曲げられる外フラップ５とを備え、折曲片付フラップ４は内フラップ４である。【選択図】図１
2019127296.tif 000002
【特許請求の範囲】
【請求項１】
筒状胴部と、
前記筒状胴部の一方の開口端縁に設けられた開閉自在な複数のフラップと、
を備えるフラップ付包装箱であって、
少なくとも１つの前記フラップには、内側へ折曲可能な折曲片が設けられ、
前記折曲片が設けられた前記フラップを折曲片付フラップとして、
前記折曲片には、前記折曲片を内側へ折り曲げた状態で、前記折曲片付フラップに隣接する他のフラップが開いた状態で前記他のフラップの側縁を差込可能な差込孔が設けられていることを特徴とするフラップ付包装箱。
【請求項２】
請求項１に記載のフラップ付包装箱であって、
前記フラップは、開閉自在な内フラップと、閉じられた前記内フラップの外側に重なるように折り曲げられる外フラップとを備え、
前記折曲片付フラップは前記内フラップであることを特徴とするフラップ付包装箱。
【請求項３】
請求項１または請求項２に記載のフラップ付包装箱であって、
前記折曲片は前記折曲片付フラップの側縁部に設けられ、
前記折曲片と前記折曲片付フラップとの間に設けられた折目線は、前記折曲片付フラップと前記筒状胴部との間に設けられた折目線と平行であり、
前記折曲片の内側の側縁は、前記折曲片が先端に向かうに従って次第に細くなるように傾斜していることを特徴とするフラップ付包装箱。
【発明の詳細な説明】
【技術分野】
【０００１】
本発明は、フラップを備えるフラップ付包装箱に関する。
【背景技術】
【０００２】
従来、４つの側板を備える有底角筒状の包装箱であって、上方開口縁に開閉自在な一対の内フラップと一対の外フラップとが設けられたフラップ付包装箱が知られている（例えば、特許文献１参照）。特許文献１のフラップ付包装箱では、内フラップにＬ字状の切込みを設けて切込みの内側を折り曲げることにより内フラップから起立する折曲片を形成し、この折曲片によって外フラップを開いたときに再び外フラップが閉じないように、外フラップを係止できるようにしている。
【先行技術文献】
【特許文献】
【０００３】
【特許文献１】実開平１−９６８２３号公報
【発明の概要】
【発明が解決しようとする課題】
【０００４】
特許文献１のフラップ付包装箱では、外フラップが折曲片で内側から支えられているだけであるため、フラップ付包装箱内から内容物を取り出すときに外フラップに接触すると外フラップが外側に開いて外フラップと折曲片との係止状態が解除され、外フラップが意図せずに閉じられてしまうという問題がある。従って、利用者は、内容物を取り出すときには、外フラップに接触ないように内容物を取り出す必要があり、面倒である。
【０００５】
本発明は、以上の点に鑑み、内容物を取り出し易いフラップ付包装箱を提供することを目的とする。
【課題を解決するための手段】
【０００６】
［１］上記目的を達成するため、本発明は、
筒状胴部（例えば、実施形態の筒状胴部２。以下同一。）と、
前記筒状胴部の一方の開口端縁に設けられた開閉自在な複数のフラップ（例えば、実施形態の天板内フラップ４、天板外フラップ５、底板内フラップ１６、底板外フラップ１７。以下同一。）と、
を備えるフラップ付包装箱（例えば、実施形態のフラップ付包装箱１。以下同一。）であって、
少なくとも１つの前記フラップ（例えば、実施形態の天板内フラップ４。以下同一。）には、内側へ折曲可能な折曲片（例えば、実施形態の折曲片９。以下同一。）が設けられ、
前記折曲片が設けられた前記フラップを折曲片付フラップ（例えば、実施形態の天板内フラップ４。以下同一。）として、
前記折曲片には、前記折曲片を内側へ折り曲げた状態で、前記折曲片が設けられた前記フラップに隣接する他のフラップ（例えば、実施形態の天板外フラップ５。以下同一。）を開いた状態で前記他のフラップの側縁を差込可能な差込孔（例えば、実施形態の差込孔１０。以下同一。）が設けられていることを特徴とする。
【０００７】
本発明によれば、他のフラップは、折曲片の差込孔に差し込むことができるため、開いた状態を維持できると共に、内容物を取り出す際に内容物が他のフラップに接触しても差込孔でしっかりと保持することができる。
【０００８】
［２］また、本発明においては、前記フラップは、開閉自在な内フラップ（例えば、実施形態の天板内フラップ４。以下同一。）と、閉じられた前記内フラップの外側に重なるように折り曲げられる外フラップ（例えば、実施形態の天板外フラップ５。以下同一。）とを備え、前記折曲片付フラップは前記内フラップであることが好ましい。
【０００９】
かかる構成によれば、内フラップと外フラップとで筒状胴部の開口を閉じている場合に、内フラップに設けられた折曲片を外フラップで覆い隠すことができ、フラップを閉じた状態におけるフラップ付包装箱の外観を向上させることができる。
【００１０】
［３］また、本発明においては、前記折曲片は前記折曲片付フラップの側縁部に設けられ、前記折曲片と前記折曲片付フラップとの間に設けられた折目線（例えば、実施形態の折目線８。以下同一。）は、前記折曲片付フラップと前記筒状胴部との間に設けられた折目線（例えば、実施形態の折目線Ｌ５。以下同一。）と平行であり、前記折曲片の内側の側縁（例えば、実施形態の切込線７。以下同一。）は、前記折曲片が先端に向かうに従って次第に細くなるように傾斜していることが好ましい。
【００１１】
かかる構成によれば、折曲片を折り曲げたときにフラップ付包装箱の内側に位置する折曲片の側縁が折曲片の先が細くなるように傾斜しているため、内容物を取り出す際に内容物が折曲片に接触し難く、内容物を容易に取り出すことができる。
【図面の簡単な説明】
【００１２】
【図１】本発明の実施形態のフラップ付包装箱を示す説明図。
【図２】本実施形態のフラップ付包装箱を展開して示す説明図。
【図３】他の実施形態の説明図。
【発明を実施するための形態】
【００１３】
図を参照して、本発明の実施形態のフラップ付包装箱を説明する。図１に示すように、本実施形態のフラップ付包装箱１は、横断面四角形状の筒状胴部２と、天板３の一部を構成する開閉自在な一対の天板内フラップ４と、天板３の残りの一部を構成する開閉自在な一対の天板外フラップ５と、底板６と、を備える。天板３を構成する天板内フラップ４と、天板外フラップ５とは、筒状胴部２に対して内側へ直角に折り曲げられることにより、筒状胴部２の上方の開口を閉塞することができる。
【００１４】
一方の天板内フラップ４には、先端縁から基端に向かって一対の切込線７が設けられている。また、切込線７が設けられた一方の天板内フラップ４には、筒状胴部２と天板内フラップ４との間の折目線Ｌ５に平行（略平行を含む）な折目線８が切込線７の基端から天板内フラップ４の側縁まで延びるように設けられている。
【００１５】
切込線７と折目線８と天板内フラップ４の外縁とに画成される部分が本実施形態における折曲片９となる。本実施形態においては、切込線７によって形成される折曲片９の傾斜縁が、本発明の折曲片の内側の側縁に該当する。また、本実施形態においては、一方の天板内フラップ４が折曲片付フラップに該当する。以下、一方の天板内フラップ４を折曲片付フラップ４ということがある。
【００１６】
折曲片９には、先端から基端に向かって延び、且つ天板外フラップ５の側縁を差込可能な差込孔１０が設けられている。切込線７は、折曲片９が先端に向かって先が細くなるように傾斜して設けられている。これにより、折曲片９を折り曲げて差込孔１０で天板外フラップ５を支えたときに折曲片９の内側の側縁が傾斜することになり、内容物を取り出す際に折曲片９が邪魔となり難く、また、内容物が折曲片９に接触して意図せずに天板外フラップ５が閉じてしまうことも防止できる。
【００１７】
図２は、本実施形態のフラップ付包装箱１の展開図である。図２から明らかなように、本実施形態のフラップ付包装箱１は、段ボール原紙から打ち抜かれた１枚の板紙を折り曲げて組み立てられる。図２に示すように、本実施形態のフラップ付包装箱１は、矩形状の第１側板１１と、第１側板１１の一方の側縁に折目線Ｌ１を介して連設される矩形状の第２側板１２と、第２側板１２の一方の側縁に折目線Ｌ２を介して連設される矩形状の第３側板１３と、第３側板１３の一方の側縁に折目線Ｌ３を介して連設される矩形状の第４側板１４とを備える。
【００１８】
第４側板１４の一方の側縁には折目線Ｌ４を介して第１側板１１の他方の側縁部に接着される接着片１５が連設されている。第１側板１１、第２側板１２、第３側板１３、第４側板１４で、本実施形態の筒状胴部２が構成される。
【００１９】
第１側板１１及び第３側板１３の上縁には、折目線Ｌ５を介して矩形状の天板内フラップ４が連設されている。第２側板１２及び第４側板１４の上縁には、折目線Ｌ６を介して矩形状の天板外フラップ５が連設されている。第１側板１１及び第３側板１３の下縁には、折目線Ｌ７を介して矩形状の底板内フラップ１６が連設されている。第２側板１２及び第４側板１４の下縁には、折目線Ｌ８を介して矩形状の底板外フラップ１７が連設されている。
【００２０】
本実施形態の底板６は、筒状胴部２に対して、底板内フラップ１６を内側へ直角に折り曲げた後、底板内フラップ１６の外面に重ねるように、底板外フラップ１７を筒状胴部２に対して内側へ直角に折り曲げることによって構成される。
【００２１】
本実施形態のフラップ付包装箱１によれば、天板外フラップ５（他のフラップ）は、折曲片９の差込孔１０に差し込むことができるため、天板外フラップ５（他のフラップ）を開いた状態を維持できると共に、フラップ付包装箱１に収容された内容物を取り出す際に内容物が天板外フラップ５（他のフラップ）に接触しても差込孔１０でしっかりと保持することができる。従って、内容物をフラップ付包装箱１に山済み状態で展示する場合に、天板内フラップ４と天板外フラップ５とを開いた状態で内容物を山済みとすることができる。
【００２２】
また、本実施形態のフラップ付包装箱１は、天板内フラップ４と天板外フラップ５とで筒状胴部２の開口を閉じている場合に、天板内フラップ４に設けられた折曲片９を天板外フラップ５で覆い隠すことができ、天板内フラップ４と天板外フラップ５とを閉じた状態におけるフラップ付包装箱１の外観を向上させることができる。
【００２３】
また、折曲片付フラップ４が天板外フラップ５で覆い隠されるため、テープなどでフラップが封止されている場合であっても、折曲片９がテープをはがしたときに破損することも防止できる。
【００２４】
また、本実施形態のフラップ付包装箱１は、折曲片９を折り曲げたときにフラップ付包装箱１の内側に位置する折曲片９の側縁が折曲片９の先が細くなるように傾斜しているため、内容物を取り出す際に内容物が折曲片９に接触し難く、内容物を容易に取り出すことができる。
【００２５】
なお、本実施形態においては、筒状胴部として四角筒状のものを説明した。しかしながら、本発明の筒状胴部はこれに限らず、フラップで少なくとも一方の開口を閉塞する包装箱であればよい。例えば、断面六角形状の筒状胴部であってもよい。
【００２６】
また、本実施形態では、Ａ式段ボール包装箱を説明したが、本発明のフラップ付包装箱は、Ａ式段ボール包装箱に限らず、Ｂ式段ボール包装箱としてもよい。また、両方の天板内フラップに折曲片を設けてもよく、又は、天板外フラップに折曲片を設けてもよい。また、折曲片は、底板内フラップ又は底板外フラップに設けてもよい。また、本発明のフラップ付包装箱は段ボール製に限らず、他の材質であってもよく、例えば、合成樹脂製であってもよい。
【００２７】
また、本発明の折曲片９の形状は、実施形態のものに限らず、フラップから折り曲げられて隣接するフラップの側縁と係合可能な差込孔を備えるものであれば、他の形状であってもよい。例えば、図３に示すように、様々な折曲片の形状が挙げられる。
【符号の説明】
【００２８】
１  フラップ付包装箱
２  筒状胴部
３  天板
４  天板内フラップ
５  天板外フラップ（他のフラップ）
６  底板
７  切込線
８  折目線
９  折曲片
１０  差込孔
１１  第１側板
１２  第２側板
１３  第３側板
１４  第４側板
１５  接着片
１６  底板内フラップ
１７  底板外フラップ
Ｌ１〜Ｌ８  折目線
【図１】
2019127296.tif 000003
【図２】
2019127296.tif 000004
【図３】
2019127296.tif 000005